(57)【要約】【課題】ノートや手帳、カレンダー等複数枚の用箋冊子に別材による付箋を付加するのではなく、自らの材箋をもって自由に付箋を形成し、各種形状による判別や容易に表示したりすることを可能にする付箋付きノートを提供する。【解決手段】ノート用箋21の端縁側23から所定の幅を残した折り残し部27を有し、折り残し部27には織り込み線24を入れておく。織り込み線24から付せん形状26の切り込み28なる付箋形状部26を形成させておき切り込み線２８及び容易に破断できる切り残し部分25でつながっていて共に頁と面一になっている。必要に応じてその部分を切り込み線28の形状に添ってノート用箋21の頁本体から指で切り残し部分25を破断させて織り込み線24に添って端縁側23と平行に折り曲げ、ノート用箋21の端縁側23の外に突起させて付箋と同様としての機能を形成させた付箋付ノートである。【選択図】        図1
2017047531.tif 000002
【特許請求の範囲】
【請求項１】
所定形状の切断線により付箋部が形成されていることを特徴とする付箋付ノート
【請求項２】
前記請求項１に係る切断線は所定のノートとつながっていてノートと一体化していて後で指で切り残し部を離し折り曲げてなることを特徴とする付箋付ノート。  
【請求項３】
前記請求項２に係る付箋はノートに少なくとも一つの付箋部を設けられていることを特徴とする付箋付きノート。
【請求項４】
前記請求項3に係る付箋部の形状は、長方形又は半円又は三角又は台形等多種形状にも形成できることを特徴とする付箋付きノート。
【請求項５】
所定形状の切断線を形成するにあたり当該切断線及び折り曲げ部を押圧式で形成できることを特徴とする付箋部作成器具。
【発明の詳細な説明】
【技術分野】
【０００１】
本考案はノート及び類似物の複数枚用箋に関して形成するものでノート、手帳、ダイアリー、カレンダーなどに適用でき、自材箋で付箋を形成することができるノート及び類似物の付せん付ノートに関する。
【背景技術】
【０００２】
現在のノートには自材箋で形成される付せんはなく、別材で独立作成された付箋を付加する方法が主流になっている。
【０００３】
通常付箋にて区分する場合などは個別の付箋を用意し、筆箱、ポーチ、ノート等の表紙ポケットに収納したり又はデスク上に独自に設置したりして、必要数をはがしてノートの特定位置に張り付けるのが一般的な使い方であった。
【先行技術文献】
【特許文献】
【０００４】
【特許文献１】登録実用新案    第３１７０８１６号  公報
【発明の概要】
【発明が解決しようとする課題】
【０００５】
前記のようにノート等に区分表示するためには付箋を用意しておかなければならず目的を果たすためには、付箋そのものを必ず別に準備しておかなければならず又それを収納するものも必要であった。
【課題を解決するための手段】
【０００６】
請求項１では所定形状の切断線により付箋部が形成されていることを特徴とする付箋付ノート
請求項２では前記請求項１に係る切断線は所定のノートとつながっていてノートと一体化していて後で指で切り残し部を離し折り曲げてなることを特徴とする付箋付ノート。  
請求項３では前記請求項２に係る付箋はノートに少なくとも一つの付箋部を設けられていることを特徴とする付箋付きノート。
請求項４では前記請求項3に係る付箋部の形状は、長方形又は半円又は三角又は台形等多種形状にも形成できることを特徴とする付箋付きノート。
請求項５では所定形状の切断線を形成するにあたり当該切断線及び折り曲げ部を押圧式で形成できることを特徴とする付箋部作成器具。
以上により前記課題を解決することができる。
【発明の効果】
【０００７】
前記のように本考案ではノート及び類似物の本箋用紙自身で付箋が形成できるので個別に準備したり収納ケースや置き場のスペースも不要となり、さらにはうっかり忘れることが発生しても本案の用箋一体型成形ができる付箋付きノート及び類似物があればこのようなリスクも避けられ非常に便利となりうる。
【図面の簡単な説明】
【０００８】
【図１】本考案の実施形態に係る全体図
【図２】付箋部の切込み部、織り込み線周囲拡大図及び断面図
【図３】付箋部の切り残し破断状態の詳細図及び断面図
【図４】付箋部の折り曲げ完成図及び断面図
【図５】付箋部の形状図    台形    折り曲げ前図と後図
【図６】付箋部の形状図    半円    折り曲げ前図と後図
【図７】付箋部の形状図    三角    折り曲げ前図と後図
【図８】付箋部の形状図    長方形  折り曲げ前図と後図
【図９】ノートを閉じたときの同形付箋複列外観図
【図１０】ノートを閉じたときの形状ミックス外観図
【発明を実施するための形態】
【０００９】
図１は本考案の実施形態に係る全体を展開した状態での概略斜視図である。
図２、図３、図４は付せん形状部２６周囲を部分的に拡大した図面でありこれを使って以下これらについて詳細な説明をする。ノート３１の中頁であるノート用箋２１の端縁側２３から所定の幅を残した折り残し部27を設けた位置に折り込み線２４を入れておく。この折り込み線２４の位置から付箋形状部２６をとなりうる形状に切り込み線２８によって形状を形成させるよう切込みを入れておく。この時切り込み線２８は連続して入れず切り残し部２５を設けておく。この切り残し部２５は１か所に限らず複数個所設けておいてノート用箋２１に対し付箋部形状２６がめくれぬよう安定に支障なきよう設定しておいてもよい。切り残し部２５はノート用箋２１とつながっていて共に面一になっている。付箋形状部26は単列でなく複数並列して設けておく。図2、図３、図４は本案付箋部周囲の拡大図及び断面図であり各部位ををわかりやすく表していて手順ごとに図示しているものである。付箋形状部26は切り残し部２５より破断して折り曲げによって位置変更するための26a、26b、２６cと表示し形成位置変化を表している。実際に付箋にしようとする際は付箋形状部２６aの切り残し部２５を指で破断させ図2の付箋形状部26bのようにする。さらに付箋部形状26bをノート用箋21から切り離した後、織り込み線２４に添って図３の形状のように端縁側23と平行に外側に折り曲げ端縁側23の外に突起させることにより付箋形状部２６が形成でき付箋として利用できるものである。図5、図6、図7、図8は前記の手順で付箋の形成方法は変わらず、ここでは付箋の形状台形A-1,A-2,半円B-１、B-２,三角C-１,C-２、長方形D-１,D-２は各種形状内容をを表したものである。上段のA-１、B-１、C-１,D-１はノート用箋21に形成前の状態図で切り込み線28、付箋形状部26、織り込み線24、折り残し部27、切り残し部25があることの状態を表したものである。下段A-２、B-２、C-２、D-２はそれぞれを前記形成作業が終った完成状態の形状を表すものである。                                                                                                                            
【実施例】
【００１０】
図9、図１０はそれぞれ形成された状態においてノートを閉じたノート全体状態を表したものである。このように形状区分することもできるため、より目的区分の多様化が図れることに期待もある。
ノートを中心に説明してきたが類似物としてはノートに限定されることなく手帳、カレンダー、ダイアリー等複数枚の用箋に適応することが出来る。
【符号の説明】
【００１１】
31      ノート
21      ノート用箋
22      端縁部
23      端縁側
24      折り込み線
25      切り残し部分
26      付箋形状部
27      折り残し部
28      切り込み線
A-1      台形切込み詳細図    （上段）
A-2      台形付箋完成図      （下段）
B-1      半円切込み詳細図    （上段）
B-2      半円付箋完成図      （下段））
C-1      三角切込み詳細図    （上段）
C-2      三角付箋完成図      （下段）
D-1      長方形切込み詳細図  （上段）
D-2      長方形付箋完成図    （下段）
【図１】
2017047531.tif 000003
【図２】
2017047531.tif 000004
【図３】
2017047531.tif 000005
【図４】
2017047531.tif 000006
【図５】
2017047531.tif 000007
【図６】
2017047531.tif 000008
【図７】
2017047531.tif 000009
【図８】
2017047531.tif 000010
【図９】
2017047531.tif 000011
【図１０】
2017047531.tif 000012